(57)【要約】      （修正有）【課題】輝度変調素子をマトリクス状に配列した画像表示装置において、消費電力を低減する。【解決手段】単極性の輝度変調素子を有する単純マトリクス型表示装置において，ある時点において，走査電極は，走査パルス７５０を印加された選択状態にあるものとそれ以外の非選択状態にあるものとに分けられ，選択状態にある走査線の本数をn1本とし，非選択状態にある走査線は，高インピーダンス状態の非選択状態走査線と低インピーダンス状態の非選択状態走査線とに分けられ，高インピーダンス状態の非選択状態走査線は，選択状態にある走査線よりも高インピーダンス状態であり，かつ低インピーダンス状態の非選択状態走査線は，高インピーダンス状態の非選択状態走査線よりも低インピーダンス状態であり，低インピーダンス状態の非選択状態走査線の本数をn1×２本以上である。【選択図】図１
2010224543.tif 000002
【特許請求の範囲】
【請求項１】
正極性の電圧印加で輝度が変調し、かつ逆極性の電圧印加では輝度変調しない輝度変調素子を複数個有し、互いに平行な複数の走査電極と，互いに平行な複数のデータ電極とを有する表示パネルと，前記複数の走査電極に結線され走査パルスを出力する第１の駆動手段と，前記複数のデータ電極に結線された第２の駆動手段とを有する画像表示装置において，前記走査電極は，走査パルスが印加された選択状態と，高インピーダンス状態の非選択状態と，低インピーダンス状態の非選択状態のすくなくとも３つの状態に設定され，前記低インピーダンス状態の非選択状態走査線は，前記高インピーダンス状態の非選択状態走査線よりも低インピーダンス状態であり，前記低インピーダンス状態の非選択状態と前記高インピーダンス状態の非選択状態とが交互に繰り返されることを特徴とする画像表示装置。
【請求項２】
線順次駆動方法により画像表示動作を行うことを特徴とする請求項１記載の画像表示装置。
【請求項３】
前記走査電極の静電容量をＣＬ，前記高インピーダンス状態の非選択状態に設定された時の前記第１の駆動手段の出力インピーダンスをＺ，１走査線の選択期間の時間幅をＨとした時，Ｚ×ＣＬ＞５×Ｈを満たすことを特徴とする請求項１記載の画像表示装置。
【請求項４】
前記第１の駆動手段は，非選択状態にある前記走査電極の電位があらかじめ設定した電圧範囲を超えようとすると，低インピーダンス状態になり，前記走査電極の電位を前記設定した電圧範囲内にとどめる手段を有することを特徴とする請求項１記載の画像表示装置。
【請求項５】
前記あらかじめ設定した電圧範囲は，前記輝度変調素子の逆極性側の設定電圧の絶対値を，前記輝度変調素子の正極性側の設定電圧の絶対値よりも大きく設定することを特徴とする請求項４記載の画像表示装置。
【請求項６】
同時に選択状態にある前記走査電極の本数をｎ１本，前記走査電極の本数をＮ本，前記低インピーダンス状態の非選択状態と前記高インピーダンス状態の非選択状態とが繰り返される平均周期をｎｐ［Ｈ］とすると，以下の式を満足することを特徴とする請求項１記載の画像表示装置。
（１／ｎｐ）＋（ｎ１／Ｎ）≦０．１
【請求項７】
前記高インピーダンス状態の非選択状態走査線のインピーダンスは１ＭΩ以上とすることを特徴とする請求項１記載の画像表示装置。
【請求項８】
前記輝度変調素子として有機発光ダイオードを用いたことを特徴とする請求項１記載の画像表示装置。
【請求項９】
電子放出素子と蛍光体との組合せで構成した輝度変調素子を複数個有し，互いに平行な複数の走査電極と，互いに平行な複数のデータ電極とを有し，前記複数の走査電極に結線され走査パルスを出力する第１の駆動手段と，前記複数のデータ電極に結線された第２の駆動手段とを有する画像表示装置において，前記走査電極は，走査パルスが印加された選択状態と，高インピーダンス状態の非選択状態と，低インピーダンスの非選択状態のすくなくとも３つの状態を有し，前記低インピーダンス状態の非選択状態走査線は，前記高インピーダンス状態の非選択状態走査線よりも低インピーダンス状態であり，前記低インピーダンス状態の非選択状態と前記高インピーダンス状態の非選択状態とが交互に繰り返されることを特徴とする画像表示装置。
【請求項１０】
線順次駆動方法で画像表示動作を行うことを特徴とする請求項９記載の画像表示装置。
【請求項１１】
前記走査電極の静電容量をＣＬ，前記高インピーダンス状態の非選択状態に設定された時の前記第１の駆動手段の出力インピーダンスをＺ，１走査線の選択期間の時間幅をＨとした時，Ｚ×ＣＬ＞５×Ｈを満たすことを特徴とする請求項９記載の画像表示装置。
【請求項１２】
前記第１の駆動手段は，非選択状態にある前記走査電極の電位があらかじめ設定した電圧範囲を超えようとすると，低インピーダンス状態になり，前記走査電極の電位を前記設定した電圧範囲内にとどめる手段を有することを特徴とする請求項９記載の画像表示装置。
【請求項１３】
前記あらかじめ設定した電圧範囲は，前記輝度変調素子の逆極性側の設定電圧の絶対値を，前記輝度変調素子の正極性側の設定電圧の絶対値よりも大きく設定することを特徴とする請求項１２記載の画像表示装置。
【請求項１４】
同時に選択状態にある前記走査電極の本数をｎ１本，前記走査電極の本数をＮ本，前記低インピーダンス状態の非選択状態と前記高インピーダンス状態の非選択状態とが繰り返される平均周期をｎｐ［Ｈ］とすると，以下の式を満足することを特徴とする請求項９記載の画像表示装置。
（１／ｎｐ）＋（ｎ１／Ｎ）≦０．１
【請求項１５】
前記走査電極が前記データ電極よりも真空に近い側に形成されていることを特徴とする請求項９記載の画像表示装置。
【請求項１６】
前記走査電極は真空に接していることを特徴とする請求項９記載の画像表示装置。
【請求項１７】
前記走査電極のうち何本かはスペーサに接しており，前記スペーサに接している走査電極は，表示動作期間中に常時，低インピーダンス状態に設定することを特徴とする請求項９記載の画像表示装置。
【請求項１８】
同時に選択状態にある前記走査電極の本数をｎ１本，前記走査電極の本数をＮ本，前記スペーサに接している走査電極の本数をｎｓ本，前記低インピーダンス状態の非選択状態と前記高インピーダンス状態の非選択状態とが繰り返される平均周期をｎｐ［Ｈ］とすると，以下の式を満足することを特徴とする請求項９記載の画像表示装置。
（１／ｎｐ）＋（ｎ１＋ｎｓ）／Ｎ≦０．１
【発明の詳細な説明】
【技術分野】
【０００１】
本発明は、画像表示装置および画像表示装置の駆動方法に係わり、特に、複数個の輝度変調素子をマトリクス状に配置した画像表示装置に適用して有効な技術に関する。
【背景技術】
【０００２】
複数個の輝度変調素子をマトリクス状に配置した画像表示装置には、液晶表示ディスプレイ、フィールド・エミッション・ディスプレイ（ＦＥＤ）、有機エレクトロルミネセンス・ディスプレイなどがある。輝度変調素子とは印加電圧により輝度を変化させるものである。ここで輝度とは、液晶ディスプレイの場合は透過率あるいは反射率、フィールド・エミッション・ディスプレイや有機エレクトロルミネセンス・ディスプレイのように発光素子を用いたディスプレイの場合は発光の明るさに対応する。
【０００３】
このようなディスプレイは画像表示装置の厚さを薄くできるという利点がある。
【０００４】
したがって、特にポータブルな画像表示装置として有効である。
【０００５】
これらの背景技術を示すものとして、特許文献１、非特許文献１、非特許文献２、非特許文献３、非特許文献４、非特許文献５等がある。これらの文献については、後に詳述する。
【先行技術文献】
【特許文献】
【０００６】
【特許文献１】特開平２００２−１６２９２７
【非特許文献】
【０００７】
【非特許文献１】1997 SID International Symposium Digest of Technical Papers、１０７３頁〜１０７６頁（１９９７年５月発行）
【非特許文献２】1999 SID International Symposium Digest of Technical Papers、 pp. 372〜375 (1999. 5月)
【非特許文献３】EURODISPLAY'90、 10 th International Display Research Conference Proceedings (vde-verlag、 Berlin、 1990)、 pp.374〜377
【非特許文献４】Japanese Journal of Applied Physics、Vol.34、Part 2、No.6A、pp．L705〜L707（1995）
【非特許文献５】Japanese Journal of Applied Physics、Vol.36、Part 2、No.7B、pp．L939〜L941（1997）
【発明の概要】
【発明が解決しようとする課題】
【０００８】
ポータブルな画像表示装置においては、消費電力が小さいことが重要な特性である。また、据え置き型あるいはデスクトップ型の表示装置においても、エネルギーの有効利用の観点、あるいは表示装置の発熱を低くする点からも消費電力が小さいことが望ましい。
しかし、従来は、輝度変調素子の有する電気的容量の充放電に有する電力が大きいことが消費電力を大きくする要因になっていた。
【０００９】
この問題を解決するために，単極性の輝度変調素子をマトリクス状に配置した画像表示装置において，非選択電極を高インピーダンスに設定することで充放電電力を低減する方法が，例えば本出願人の特開平２００２−１６２９２７に開示されている。この方法は，非選択走査線を選択走査線よりも高インピーダンス状態に設定することにより，データ線回路の負荷容量を実質的に小さくし，それによって充放電電力を低減するものである。一方，この方法では，高インピーダンス状態の電極の電位はフローティング状態にあるため，電位は一定しない。すなわち，高インピーダンス状態の電極には意図しない電圧（誘起電圧）が誘起される。
【００１０】
前述の開示例においては，この誘起電圧は特定極性になりやすいことに基づき，単極性輝度変調素子の輝度変調特性を組み合わせることにより，この誘起電圧が表示画像に影響を与えにくい画像表示方法を開示している。
しかしながら，高インピーダンス状態にある電極には原理的には不定であるため，時として意図しない電圧が誘起され，表示状態に影響を与えることもあり得る。
この問題に対し，選択走査線に隣接する走査線のみ低インピーダンス状態にすることで，誘起電圧の極性を制御する方法が，本出願人の特開平２００２−１６２９２７に開示されている。しかしながら，高インピーダンス状態にある電極には原理的には不定であるため，前述の公知例に開示された方法を用いた場合でも，時として意図しない電圧が誘起され，表示状態に影響を与えることがあり得る。
【００１１】
本発明の特徴を述べるために，従来開示されている駆動方法の課題を詳述する。ここでは輝度変調素子として薄膜電子源と蛍光体との組合せを用いる例を述べる。
図２は、輝度変調素子マトリクスの概略構成を示す図である。行電極３１０と列電極３１１の各交点に輝度変調素子３０１が形成されている。なお、図２では３行×３列の場合を図示しているが、実際には表示装置を構成する画素、あるいはカラー表示装置の場合はサブ画素（sub-pixel）の個数だけ輝度変調素子３０１が配置されている。即ち、行数Ｎおよび列数Ｍは、典型的な例ではそれぞれＮ＝数百〜数千行、Ｍ＝数百〜数千列である。
【００１２】
なお、カラー画像表示の場合は、赤、青、緑の各サブ画素（sub-pixel）の組み合わせで１画素（pixel）を形成するが、本明細書では、カラー画像表示の場合のサブ画素（sub-pixel）に相当するものも「画素」と呼ぶことにする。あるいは、単色表示の場合の画素、カラー表示の場合のサブ画素を総称して「ドット」と呼ぶ場合もある。
【００１３】
図３は、従来の画像表示装置の駆動方法を説明するためのタイミングチャートである。行電極３１０のうちの１本（選択された行電極）に、行電極駆動回路４１から振幅（ＶK）の負極性のパルス（走査パルス７５０）を印加し、同時に、列電極駆動回路４２から列電極３１１の何本（選択された列電極）かに振幅（Ｖdata）の正極性パルス（データパルス７６０）を印加する。二つのパルスが重なった輝度変調素子３０１には発光をするのに十分な電圧が印加されるので発光する。振幅（Ｖdata）の正極性パルスを印加していない輝度変調素子３０１では十分な電圧が印加されず、発光しない。選択する行電極３１０、即ち、走査パルスを印加する行電極３１０を順次選択し、その行に対応して列電極３１１に印加するデータパルスも変化させる。１フィールド期間の中で全ての行をこのようにして走査すると、任意の画像に対応した画像を表示できる。マトリクス型表示装置では駆動回路の無効消費電力が問題になる。無効消費電力とは、駆動する素子の静電容量に電荷を充電・放電させるのに消費する電力であり、発光には寄与しない。
【００１４】
今、各輝度変調素子３０１の１個あたりの静電容量をＣeとする。図２からわかるように，各列電極駆動回路４２にはＮＣeの負荷容量が接続されている。したがって，１行当たりｍ個の輝度変調素子にデータパルスを印加する場合には，列電極駆動回路４２全体で，ｍＮＣeなる負荷容量が接続されていることになる。この負荷容量を充放電させる電力が前述の無効消費電力である。１秒間に画面を書き換える回数（フィールド周波数）をｆとすると、列電極駆動回路４２での無効電力（Ｐdata）は下記（１）式で表される。
【００１５】
Ｐdata＝ｆ・Ｎ2・Ｍ・Ｃe・（Ｖdata）2    （１）
次に走査パルスを印加する走査線（選択状態の走査線と呼ぶ）以外をフローティング状態にした場合を考える（図４）。このようにすると，データ線回路の負荷容量が実質的に低減するので，列電極駆動回路４２での無効電力が低減する。非選択状態の走査線をフローティング状態にするには非選択状態の走査線を高インピーダンス状態にすればよい。この方法による無効電力低減方法は，例えば本出願人の特開平２００２−１６２９２７に開示されている。この場合のデータ線回路全体での負荷容量は，次式（２）式で表される。
（２）式
【００１６】
【数１】
2010224543.tif 000003
【００１７】
これはｍ＝Ｍ／２で最大値をとる。非選択状態の走査線を低インピーダンスに接続する駆動方法ではデータ線の負荷容量はｍ＝Ｍで最大値をとるが，この最大値に比べて，非選択状態の走査線を高インピーダンス状態にする駆動法での最大値は，１／４に低減する。一方，非選択走査線をフローティング状態にすると，それらの走査線は電位が不定状態になるので，表示画像に影響する恐れがある。しかしながら，本出願人の特開平２００２−１６２９２７に開示されているように，非選択走査線に誘起される電圧の極性は，特定方向の電位が誘起される。すなわち，非選択走査線に誘起される電圧ＶF,scanは次式（３）式で表される。
（３）式
ＶF,scan= (m/M)Vdata = x Vdata
ここで，x = m/M は１行中のON状態にある輝度変調素子の個数の割合であり，点灯率と呼ぶ。Vdataはデータパルスの振幅電圧である。
点灯率xは正またはゼロである。したがって，図４の駆動波形のようにVdataを正電圧にした場合には，誘起電圧ＶF,scanは正またはゼロである。図４の場合，走査線に負電圧が印加された時に輝度が変調するので，この誘起電圧は輝度変調を起こさない極性である。したがって，単極性の輝度変調素子を用い，誘起電圧の極性では輝度が変調しないような方向に接続することにより，誘起電圧が表示画像に与える影響を十分小さくすることが可能である。
【００１８】
ここで，「単極性」の輝度変調素子について説明する。
逆極性の電圧が印加されても発光しない、より一般的に表現すれば輝度変調状態が選択状態にならない素子を、正極性のみで輝度変調するという意味で「単極性の輝度変調素子」と呼ぶことにする。これに対し、逆極性の電圧が印加されても発光したり、輝度変調状態が選択状態になる素子を、正・逆２つの極性で輝度変調するという意味で「両極性の輝度変調素子」と呼ぶことにする。
【００１９】
先述から明らかなように「逆極性で輝度変調しない」とは、逆極性電圧が印加されても表示のクロストークが発生しない程度であればよい。逆極性電圧印加でごくわずかに輝度変調する素子であっても、それが人間の目で見えない、あるいは表示装置として問題にならない範囲の輝度変調状態であれば、実質的に「輝度変調しない」と見なせるので、「単極性」の輝度変調素子と見なせる。
【００２０】
単極性の輝度変調素子について更に詳述する。図５（ａ），（ｂ）に示した輝度−電圧特性を有する輝度変調素子を考える。ここでは輝度変調素子として発光素子を例に説明する。図５においては縦軸は輝度，すなわち発光素子の場合は明るさを示し，横軸は輝度変調素子への印加電圧を示す。図５（ａ）の特性では，正極性の電圧を印加すると輝度が増加するが，負極性の電圧を印加した場合には輝度が実質的にゼロである。すなわち，（ａ）の特性を有する輝度変調素子は単極性である。一方，図５（ｂ）では，負極性の電圧を印加した場合も輝度が変化している。すなわち，（ｂ）の特性を有する輝度変調素子は両極性である。
【００２１】
これらの輝度変調素子でＮ行×Ｍ列のマトリクスを構成し，図４の駆動電圧を印加した場合を考える。選択された行には負電圧ＶKの走査パルスを印加し，半選択状態("half-selected")とする。選択行の中で点灯させようとする輝度変調素子のデータ線には正電圧Ｖdataのデータパルスを印加する。したがって，選択走査線と選択データ線の交点にある輝度変調素子にはＶdata−ＶK＝｜Ｖdata｜＋｜ＶK｜なる電圧が印加され，これにより輝度変調素子が発光する（図中Ｃ点）。
【００２２】
このとき非選択状態の走査線には（３）式で表される電圧ＶF,scanが誘起される。したがって，非選択走査線と非選択データ線との交点にある輝度変調素子には−ＶF,scanなる電圧が印加されることになる（図中Ｄ点）。図５（ｂ）の両極性の輝度変調素子の場合，この誘起電圧−ＶF,scanによりわずかに発光する（図中Ｄ点）。すなわち，意図しない輝度変調素子が発光してしまう。このため表示画像が乱れる。これが非選択走査線を高インピーダンスにする場合の問題点である。
【００２３】
単極性の輝度変調素子を用いることでこの問題を解決できる。図５（ａ）に示した単極性の輝度変調素子の場合には，−ＶF,scanが印加されても発光しない（図中Ｄ点）。したがって，非選択走査線を高インピーダンスにしても表示の乱れは発生しない。
【００２４】
なお，以上の説明では，走査パルスが負電圧，データパルスが正電圧の場合を述べた。逆に，走査パルスが正電圧，データパルスが負電圧の場合も全く同様であることは言うまでもない。この場合も（６）式が成り立ち，走査電極に誘起される電圧ＶFG,scanは負電圧になる。これは，輝度変調素子にとって逆極性であるから，単極性の輝度変調素子を用いれば上述の通り，誤表示は発生しない。
【００２５】
両極性の輝度変調素子の例は、液晶素子、薄膜型無機エレクトロルミネセンス素子などがある。単極性の輝度変調素子には、有機エレクトロルミネセンス素子や、蛍光体と組み合わせた電子放出素子などがある。
有機エレクトロルミネセンス素子は、有機発光ダイオードとも呼ばれ、順方向電圧を印加すると発光するが、逆極性電圧では発光しないというダイオード特性を有する。有機エレクトロルミネセンス素子は例えば、非特許文献１に記載されている。あるいは、ポリマー型の有機エレクトロルミネセンス素子は非特許文献２に記されている。
【００２６】
蛍光体と電子放出素子とを組み合わせた輝度変調素子の例は、例えば、非特許文献３に記載されている。この例では、電子放出素子は、電子放出エミッタ・チップとエミッタ・チップに電界を印加するゲート電極とから構成される。ゲート電極にエミッタ・チップに対して正の電圧を印加すれば電子がエミッタ・チップから放出して蛍光体を発光させるが、負の電圧を印加した場合には電子は放出しない。すなわち、単極性の輝度変調素子である。
【００２７】
以上のように，単極性の輝度変調素子を用いることで，誘起電圧による表示画像への影響を小さくすることが出来ることが，本出願人の特許文献１に開示されている。しかしながら，フローティング状態の走査電極に，時として輝度変調素子の順極性の電圧が誘起されることがある。
例えば，隣接する走査電極間の容量結合により，走査パルスを印加した際に隣接する走査線に順極性の電圧が誘起される場合がある。これを防ぐために，走査パルスを印加する走査線に隣接する走査線のみを低インピーダンス状態にする方法が，本出願人の特許文献１に開示されている。
【００２８】
しかし，特許文献１に開示されている方法では，順極性の誘起電圧の発生を防げない場合もある。本発明は，そのような場合についても，順極性の誘起電圧の発生を最小限に押さえ，単極性の輝度変調素子で構成される表示装置において，表示画像への影響を最小限にする方法を提供するものである。
【００２９】
本発明は、前記従来技術の問題点を解決するためになされたものであり、本発明の目的は、画像表示装置において、輝度変調素子マトリクスでの無効電力を低減することが可能となる技術を提供することにある。
さらに本発明の別の目的は，高インピーダンス状態にある電極の誘起電圧を一層安定化させ，それにより安定に画像表示を行う技術を提供することにある。
また，電子放出素子と蛍光体とを組み合わせた輝度変調素子を用いた表示装置においては，フローティング状態の電極があると，蛍光体に印加する高電圧により異常放電が発生しやすくなるという問題があった。
【課題を解決するための手段】
【００３０】
本願において開示される発明のうち、代表的なものの概要を簡単に説明すれば、下記の通りである。
正極性の電圧印加で輝度が変調し、かつ逆極性の電圧印加では輝度変調しない輝度変調素子を複数個有し、互いに平行な複数の走査電極と，互いに平行な複数のデータ電極とを有し，前記走査電極と前記データ電極との交点に前記輝度変調素子が配置されており，前記複数の走査電極に結線され走査パルスを出力する第１の駆動手段と，前記複数のデータ電極に結線された第２の駆動手段とを有する画像表示装置において，走査期間中のある時点において，前記走査電極は，走査パルスを印加された選択状態にあるものとそれ以外の非選択状態にあるものとに分けられ，
前記選択状態にある走査線の本数をn1本とし，
前記非選択状態にある走査線は，高インピーダンス状態の非選択状態走査線と低インピーダンス状態の非選択状態走査線とに分けられ，前記高インピーダンス状態の非選択状態走査線は，前記選択状態にある走査線よりも高インピーダンス状態であり，かつ前記低インピーダンス状態の非選択状態走査線は，前記高インピーダンス状態の非選択状態走査線よりも低インピーダンス状態であり，
前記低インピーダンス状態の非選択状態走査線の本数をn1×２本以上であることを特徴とする。
【００３１】
すなわち，数式を用いて述べると以下のようになる。選択状態にある走査線のインピーダンスをＺ(SEL)，高インピーダンス状態の非選択状態でのインピーダンスをＺ(NS, HZ)，低インピーダンス状態の非選択状態でのインピーダンスをＺ(NS, LZ)とし，選択状態にある走査線の本数をＮ(SEL)，高インピーダンス状態の非選択状態にある走査線の本数Ｎ(NS, HZ)，低インピーダンス状態の非選択状態にある走査線の本数をＮ(NS, LZ)とすると，Ｚ(SEL)＜Ｚ(NS, HZ)，かつZ(NS, LZ)＜Ｚ(NS, HZ)，かつＮ(NS, LZ)≧２×Ｎ(SEL)が成り立つことを特徴とする。
【００３２】
正極性の電圧印加で輝度が変調し、かつ逆極性の電圧印加では輝度変調しない輝度変調素子を複数個有し、互いに平行な複数の走査電極と，互いに平行な複数のデータ電極とを有し，前記複数の走査電極に結線され走査パルスを出力する第１の駆動手段と，前記複数のデータ電極に結線された第２の駆動手段とを有する画像表示装置において，前記走査電極は，走査パルスが印加された選択状態と，高インピーダンス状態の非選択状態と，低インピーダンスの非選択状態のすくなくとも３つの状態に設定され，前記前記低インピーダンス状態の非選択状態走査線は，前記高インピーダンス状態の非選択状態走査線よりも低インピーダンス状態であり，前記低インピーダンス状態の非選択状態と前記高インピーダンス状態の非選択状態とが交互に繰り返されることを特徴とする。
【００３３】
正極性の電圧印加で輝度が変調し、かつ逆極性の電圧印加では輝度変調しない輝度変調素子を複数個有し、互いに平行な複数の走査電極と，互いに平行な複数のデータ電極とを有し，前記複数の走査電極に結線され走査パルスを出力する第１の駆動手段と，前記複数のデータ電極に結線された第２の駆動手段とを有する画像表示装置において，前記第１の駆動手段は，走査パルスを印加する選択状態と，高インピーダンス状態の非選択状態と，低インピーダンスの非選択状態のすくなくとも３つの状態を有し，前記低インピーダンス状態の非選択状態を出力する時の出力インピーダンスは，前記高インピーダンス状態の非選択状態を出力する時の出力インピーダンスよりも低インピーダンスであり，前記低インピーダンス状態の非選択状態と前記高インピーダンス状態の非選択状態とを交互に繰り返すことを特徴とする。
【００３４】
電子放出素子と蛍光体との組合せで構成した輝度変調素子を複数個有し，互いに平行な複数の走査電極と，互いに平行な複数のデータ電極とを有し，前記複数の走査電極に結線され走査パルスを出力する第１の駆動手段と，前記複数のデータ電極に結線された第２の駆動手段とを有する画像表示装置において，前記走査電極は，走査パルスが印加された選択状態と，高インピーダンス状態の非選択状態と，低インピーダンスの非選択状態のすくなくとも３つの状態を有し，前記前記低インピーダンス状態の非選択状態走査線は，前記高インピーダンス状態の非選択状態走査線よりも低インピーダンス状態であり，前記低インピーダンス状態の非選択状態と前記高インピーダンス状態の非選択状態とが交互に繰り返されることを特徴とする。
【００３５】
図６は、ある行電極３１０に、動作時に現れる電圧波形を示したものである。図６では，行電極３１０が60本，列電極３１１が60本で構成された薄膜電子源マトリクスでの観測波形である。この図では水平１目盛りが２ｍｓ、垂直１目盛りが２Ｖである。負極性のパルス（図中ａ）は走査パルス、図面右側の正極性のパルス（図中ｂ）は反転パルスである。この２つのパルスを印加するときのみが低インピーダンス状態であり，それ以外の期間は高インピーダンス状態である。それ以外に現れている正極性のパルス（図中ｃ）は、高インピーダンスの期間に誘導された誘導電位である。これは先に述べたように薄膜電子源にとって逆極性なので電子放出は起こらない。一方、走査パルスを印加直後から反転パルスを印加するまでの期間（図中ｄ）は、負極性の電圧が誘起されている。これは負極性の走査パルスを印加したことによる影響、および隣接する行電極３１０に負極性の走査パルスを印加したことにより誘導電位である。
【００３６】
この図からわかるように，順極性の誘起電圧は，いったん誘起されると，持続する傾向があることがわかる。
そこで，本発明では，非選択状態にある走査線を適宜低インピーダンスの非選択電圧に設定することで，非選択状態の走査線に順極性の誘起電圧が継続的あるいは持続的に印加されることを防ぐ。これにより画像表示の安定化を図る。
【００３７】
このように本発明においては，低インピーダンス状態にある非選択走査線の本数が増加する。したがって，無効電力が増加してしまうことが懸念される。そこで，本発明による画像表示装置での無効電力を計算する。
【００３８】
有効走査線の本数がＮ本，データ線の本数がＭ本のマトリクス・ディスプレイを考える。ある瞬間において，走査パルスが印加されている走査線が１本，低インピーダンス状態の非選択走査線の本数をｎ0−１本とする。ここで有効走査線数とは，走査電極の本数Ｎ0を，同時に走査する走査線の本数で割ったものである。例えば，ある時間には１本の走査線しか走査しない（「１行同時駆動方法」）の場合は，Ｎ＝Ｎ0である。また，画面の上下を２分割し，上半分領域中と下半分領域中の走査線をそれぞれ１本ずつを同時に走査する駆動方法の場合（「２行同時駆動方法」）には，Ｎ＝Ｎ0／２である。
【００３９】
図７はこの場合の等価回路図である。ｍ本の列電極３１１を選択し、（Ｍ−ｍ）本の非選択列電極３１１をグラウンド電位に固定した場合の等価回路を示す図である。図７に示すように、１本の選択走査線と（ｎ0−１）本の非選択走査線とを合わせた合計ｎ0本の走査線が低インピーダンス状態であり，残りの（Ｎ−ｎ0）本の走査線がフローティング状態になっている。この時のｍ本の選択列電極３１１全体の負荷容量は以下の式（４）式で表される。
（４）式
【００４０】
【数２】
2010224543.tif 000004
【００４１】
ここでｂ＝ｎ0／Ｎは低インピーダンス状態の走査線数を有効走査線数で除したもの（以下本明細書では，低インピーダンス比率と呼ぶ），ｘ＝ｍ／Ｍは１行中で点灯しているドットの割合（点灯率）である。
前述の通りデータ線の無効電力は（４）式で表されるデータ線の負荷容量に比例する。したがって，データ線の負荷容量の値を知れば無効電力の大きさがわかる。
図８はデータ線の負荷容量を点灯率の関数としてプロットしたものである。この図はＮ＝５００として計算してある。低インピーダンス走査線の本数ｎ0＝１，１０，５０，１００について求めてある。
このようにデータ線の負荷容量は点灯率ｘにより変化する。負荷容量の点灯率に関する最大値は次式（５）式で表される。
（５）式
Ｃcol(max) = NMCe／{4(1-b)}
ｎ0＝１は，選択走査線のみが低インピーダンスになっている場合に対応するので，従来の駆動方法に相当する。従来の駆動方法（ｎ0＝１）に対する負荷容量の増加分を見ると，ｎ0＝１０（低インピーダンス比率ｂ＝10/500）では２％の増加にとどまっている。
ｎ0＝５０（ｂ＝１０％）においても負荷容量の増加は１０％にとどまる。
【００４２】
非選択走査線をすべて低インピーダンスの非選択電位に設定する駆動方法（「固定電位駆動」と呼ぶ）に比べて，非選択走査線をすべて高インピーダンスに設定する駆動方法ではデータ線回路の無効電力が１／４（＝２５％）に低減することは前述の通りである。したがって低インピーダンス比率ｂを１０％程度にとどめておけば，本発明の画像表示装置でのデータ線回路の無効電力は，固定電位駆動に場合の２８％にとどまり，低電力効果を損なうことなく表示画像の安定化効果が得られる。
【００４３】
なお，ここで「固定電位」とはフローティング電位に対する「固定電位」という意味である。すなわち、設定値と実際の配線上の電位とが一致しているという状態を指しており、低インピーダンス状態であることが本質的である。言い換えれば、必ずしも時間的に一定電位に固定されていることを意味しない。
本発明の前記ならびにその他の目的と新規な特徴は、本明細書の記述及び添付図面によって明らかにする。
【発明の効果】
【００４４】
本願において開示される発明のうち代表的なものによって得られる効果を簡単に説明すれば、下記の通りである。
本発明の画像表示装置によれば、輝度変調素子の有する容量成分の充放電に伴う無効電力を低減し、消費電力を低減することが可能となる。
【図面の簡単な説明】
【００４５】
【図１】本発明の画像表示装置の駆動方法を説明するための図である。
【図２】輝度変調素子マトリクスの概略構成を示す図である。
【図３】輝度変調素子マトリクスを用いた従来の画像表示装置の駆動方法を説明するための図である。
【図４】輝度変調素子マトリクスを用いた従来の画像表示装置の駆動方法を説明するための図である。
【図５】単極性と両極性の輝度変調素子の輝度変調特性の電圧依存性を模式的に示した図である。
【図６】従来の画像表示装置において，高インピーダンス状態の走査電極上の電圧を観測した図である。
【図７】本発明の画像表示装置の等価回路を表す図である。
【図８】本発明の画像表示装置における，点灯率と負荷容量の関係を示す図である。
【図９】本発明の実施の形態１の電子源板の薄膜電子源マトリクスの一部の構成を示す平面図である。
【図１０】本発明の実施の形態１の電子源板と蛍光表示板との位置関係を示す平面図である。
【図１１】本発明の実施の形態１の画像表示装置の構成を示す要部断面図である。
【図１２】本発明の実施の形態１の表示パネルに、駆動回路を接続した状態を示す結線図である。
【図１３】本発明の実施の形態１における駆動波形を示す図である。
【図１４】本発明の実施例２の電子源板の薄膜電子源マトリクスの一部の構成を示す平面図である。
【図１５】本発明の実施例２の画像表示装置の構成を示す要部断面図である。
【図１６】本発明の実施例２の表示パネルに、駆動回路を接続した状態を示す結線図である。
【図１７】本発明の実施例２における駆動波形を示す図である。
【図１８】本発明において輝度変調素子と電極とを抜き出した概略図である。
【図１９】本発明の実施例２における行電極駆動回路の一例を示す図である。
【図２０】本発明の実施例２における行電極駆動回路の別の一例を示す図である。
【図２１】本発明の実施例３の電子源板の薄膜電子源マトリクスの一部の構成を示す平面図である。
【図２２】本発明の実施例３の画像表示装置の構成を示す要部断面図である。
【図２３】本発明の実施例３の表示パネルに、駆動回路を接続した状態を示す結線図である。
【図２４】本発明の実施例３における駆動波形を示す図である。
【図２５】本明細書における走査期間，非走査期間の定義を示す電圧波形図である。
【発明を実施するための最良の形態】
【００４６】
以下、図面を参照して本発明の実施の形態を詳細に説明する。
なお、実施の形態を説明するための全図において、同一機能を有するものは同一符号を付け、その繰り返しの説明は省略する。
【実施例１】
【００４７】
本発明の実施の形態１の画像表示装置は、電子放出電子源である薄膜電子源マトリクスと蛍光体との組み合わせによって、各ドットの輝度変調素子を形成した表示パネルを用い、当該表示パネルの行電極及び列電極に駆動回路を接続して構成される。
【００４８】
薄膜電子源とは２つの電極（上部電極と下部電極）の間に絶縁層などの電子加速層を挿入した構造を有する電子放出素子で、電子加速層中で加速したホットエレクトロンを上部電極を経由して真空中に放出させるものである。薄膜電子源の例としては、金属−絶縁体−金属とで構成されたＭＩＭ電子源や、電子加速層にポーラスシリコンなどを用いたバリスティック電子面放出素子（例えば、非特許文献４）、電子加速層に半導体−絶縁体積層膜を用いたもの（例えば、非特許文献５）、などが知られている。
【００４９】
以下ではＭＩＭ電子源を用いた例を記す。
ここで、表示パネルは、薄膜電子源マトリクスが形成された電子源板と蛍光体パターンが形成された蛍光表示板とから構成される。
【００５０】
図９は、本実施の形態の電子源板の薄膜電子源マトリクスの一部の構成を示す平面図であり、図１０は、本実施の形態の電子源板と蛍光表示板との位置関係を示す平面図である。
また、図１１は、本実施の形態の画像表示装置の構成を示す要部断面図であり、同図（ａ）は、図９および図１０に示すＡ−Ｂ切断線に沿う断面図、同図（ｂ）は、図９および図１０に示すＣ−Ｄ切断線に沿う断面図である。但し、図９および図１０においては、基板１４の図示は省略している。
【００５１】
さらに、図１１では、高さ方向の縮尺は任意である。即ち、下部電極１３や上部電極バスライン３２などは数μｍ以下の厚さであるが、基板１４と基板１１０との距離は１〜３ｍｍ程度の長さである。
また、以下の画像表示装置の構造の説明では、３行×３列の電子源マトリクスの図面を用いて説明するが、これらの図は多数の行数、列数の電子源マトリクスのうちの一部を示した図面である。典型的な表示パネルでの行・列数は、数１００行〜数１０００行、および数千列にである。
【００５２】
図９および図１１において，下部電極１３（走査線として働く）と上部電極バスライン３２（データ線として働く）の交差部分に薄膜電子源が構成されている。薄膜電子源は，上部電極１１，トンネル絶縁層１２，下部電極１３を積層した構造である。上部電極１１は上部電極バスライン３２に結線されている。
上部電極１１と下部電極１３との間に，上部電極１１が正極性になる電圧を印加すると，トンネル絶縁層１２で電子が加速されてホットエレクトロンを生成し，上部電極１１を経由して真空中に電子が放出される。
また、図９において、点線で囲まれた領域３５は電子放出部（本発明の電子源素子）を示す。
【００５３】
この電子放出部３５はトンネル絶縁層１２で規定された場所で、この領域内から電子が真空中に放出される。
電子放出部３５は上部電極１１で覆われるため平面図には現れないので、点線で図示してある。
【００５４】
本実施の形態の蛍光表示板は、ソーダガラス等の基板１１０に形成されるブラックマトリクス１２０と、赤（Ｒ）・緑（Ｇ）・青（Ｂ）の蛍光体（１１４Ａ〜１１４Ｃ）と、これらの上に形成されるメタルバック膜１２２（電子加速電極）とで構成される。
また、基板１１０と基板１４との間の距離は、１〜３ｍｍ程度とした。
【００５５】
スペーサ６０は、表示パネル内部を真空にしたときに、大気圧の外部からの力による表示パネルの破損を防ぐために挿入される。
したがって、基板１４、基板１１０に厚さ３ｍｍのガラスを用いて、幅４ｃｍ×長さ９ｃｍ程度以下の表示面積の表示装置を製作する場合には、基板１１０と基板１４自体の機械強度で大気圧に耐え得るので、スペーサ６０を挿入する必要はない。
【００５６】
スペーサ６０の形状は、例えば、図１０に示すように、直方体形状とする。
また、ここでは、３行毎にスペーサ６０の支柱を設けているが、機械強度が耐える範囲で、支柱の数（配置密度）を減らしてかまわない。
スペーサ６０としては、ガラス製またはセラミクス製で、板状あるいは柱状の支柱を並べて配置する。
【００５７】
封着した表示パネルは、１×１０-7Ｔｏｒｒ程度の真空に排気して、封止する。
表示パネル内の真空度を高真空に維持するために、封止の直前あるいは直後に、表示パネル内の所定の位置（図示せず）でゲッター膜の形成またはゲッター材の活性化を行う。
図９，図１０，図１１に示した構成の表示パネルの製造方法は，例えば本出願人の特開平２００２−１６２９２７に開示されている。
図１２は、本実施の形態の表示パネルに、駆動回路を接続した状態を示す結線図である。
【００５８】
行電極３１０（本実施の形態では下部電極１３と一致）は行電極駆動回路４１に接続され、列電極３１１（本実施の形態では上部電極バスライン３２と一致）は列電極駆動回路４２に接続される。
【００５９】
ここで、各駆動回路（４１、４２）と、電子源板との接続は、例えば、テープキャリアパッケージを異方性導電膜で圧着したものや、各駆動回路（４１、４２）を構成する半導体チップを、電子源板の基板１４上に直接実装するチップオングラス等によって行う。
メタルバック膜１２２には、加速電圧源４３から３〜６ＫＶ程度の加速電圧が常時印加される。
【００６０】
図１は、図１２に示す各駆動回路から出力される駆動電圧の波形の一例の全体像を示すタイミングチャートである。
なお、同図において、点線は高インピーダンス出力であることを示している。
実際には、出力インピーダンスを１〜１０ＭΩ程度とすれば良く、本実施例では５ＭΩとした。
【００６１】
行電強３１０（走査電極）には，走査パルス７５０を順次印加する。列電極３１１にはデータパルス７６０を印加する。走査パルス７５０とデータパルス７６０とが同時に印加された画素では，上部電極１１と下部電極１３との間に十分な電圧が印加され，電子が放出される。蛍光板上の加速電極１２２に印加された加速電圧により，この電子が加速され，その後，蛍光体１１４に衝突して蛍光体を励起発光させる。
【００６２】
全ての行電極３１０を走査することで表示パネル上に画像が表示される。
映像信号の１フィールド期間内に１回，行電極３１０に反転パルス７５５を印加する。反転パルス７５５により薄膜電子源には，電子放出時とは逆極性の電圧が印加され，これにより，薄膜電子源の寿命特性が向上する。反転パルス７５５は，映像信号の帰線期間中に印加すると，映像信号との整合性がよい。
【００６３】
図１３は，図１のタイミングチャートの詳細図である。
時刻ｔ(1)において，行電極３１０Ｒ１に走査パルス７５０を印加して選択状態にする。
同時に列電極３１１Ｃ１，Ｃ２とにデータパルス７６０を印加すると，画素（Ｒ１，Ｃ１）と（Ｒ１，Ｃ２）の蛍光体が発光する。
【００６４】
時刻ｔ（2）においては，行電極３１０Ｒ２に走査パルス７５０を印加して選択状態にする。同時に列電極３１１Ｃ１にデータパルス７６０を印加すると，画素（Ｒ２，Ｃ１）の蛍光体が発光する。
このようにして，図１３に電圧波形を印加すると，図１２の斜線部の画素が発光する。データパルス７６０の波形を変えることにより，任意の画素を発光させることが出来る。
図１３において，行電極３１０に印加する電圧波形図で点線部分は高インピーダンス状態にある。時刻ｔ（2）において，行電極３１０Ｒ２に走査パルス７５０が印加されるが，この期間，隣接する行電極３１０Ｒ１は低インピーダンス状態の非選択状態７５１になっている。低インピーダンス状態の非選択状態とは，駆動回路の出力インピーダンスを高インピーダンス状態時よりも低く設定し，かつ，非選択状態，すなわち本実施例においては走査パルス７５０を印加しない状態を指す。
【００６５】
時刻ｔ（5）およびｔ（8）において，行電極３１０Ｒ１は，再度低インピーダンス状態の非選択状態７５１とする。
図１３からわかるように，ある時刻，例えば時刻ｔ（8）において走査パルス７５０を印加することにより選択状態にある行電極の本数ｎ1は，行電極Ｒ８の１本である。一方，低インピーダンス状態の非選択走査線の本数は，行電極Ｒ１，Ｒ４とＲ７の３本であり，ｎ1×２以上となっている。
【００６６】
走査パルス７５０が印加される行電極Ｒ８も低インピーダンス状態であるから，低インピーダンス状態にある行電極の本数ｎ0は４本である。これは（４）式におけるｎ0に相当する。通常，行電極の本数Ｎは500本〜1000本程度であるから，ｂ＝ｎ0／Ｎは0.6％〜0.3％程度である。したがって，（４）式から計算される通り，低インピーダンス状態の非選択状態を設定することに起因する無効電力は十分小さい。
【実施例２】
【００６７】
本発明の第２の実施例を図１４，図１５，図１６，図１７を用いて説明する。第２の実施例の画像表示装置は、電子放出電子源である薄膜電子源マトリクスと蛍光体との組み合わせによって、各ドットの輝度変調素子を形成した表示パネルを用い、当該表示パネルの行電極及び列電極に駆動回路を接続して構成される。
【００６８】
図１４は実施例２の画像表示装置を構成する表示パネルのうち，陰極板の平面図を示す。図１５、図１６は実施例２の画像表示装置を構成する表示パネルの断面図である。図１４に示したＡ−Ｂ間断面が図１５（ａ）、Ｃ−Ｄ間断面が図１５（ｂ）に対応する。本実施例では行電極３１０（上部電極バスライン３２と同一）と列電極３１１（下部電極１３と同一）との交点に薄膜電子源を形成する。図１４において電子放出部３５から電子が放出される。放出された電子はメタルバック膜１２２に印加された電圧で加速された後、蛍光体１１４Ａ、１１４Ｂ、１１４Ｃに照射され、蛍光体を励起発光させる。
【００６９】
図１４，図１５，図１６では４行×３列のマトリクスを図示したが，実際の表示装置では行数が数百行〜数千行，列数が数千列になる。これらの図は，そのうちの一部を示したものである。
図１４および図１５（ａ）に示した通り、２行目の行電極３１０と３行目の行電極３１０との間に、スペーサ電極３１５を設置する。スペーサ電極３１５はアース電位とした。そしてスペーサ電極３１５の上にスペーサ６０を設置する。スペーサ６０は適切な抵抗値の導電性を付与する。スペーサ６０の上端はメタルバック膜１２２に接続され、下端はスペーサ電極３１５に接続される。したがって、スペーサ６０の近傍の電界分布は、蛍光面板１１０と基板１４との間で均一となる。また，電子がスペーサ６０に照射してスペーサを帯電させた場合でも，帯電した電荷をメタルバック膜１１２またはスペーサ電極３１５に流れるため帯電が除去される。このようにして，スペーサ６０近傍の電界分布が均一に保たれ，電子ビーム軌道を歪めさせるなどの悪影響を防げる。
スペーサ本数は，用いる基板の厚さや電極のピッチなどによっても異なる。本実施例では，行電極４０本に１本程度にした。
【００７０】
図１６は本実施例における表示パネルと駆動回路との結線を示す。各行電極３１０は行電極駆動回路４１に結線され，各列電極３１１は列電極駆動回路４２に結線される。スペーサ電極３１５は，行電極３１０あるいは列電極３１１と概ね同じ電位に設定すればよい。本実施例では，アース電位に設定した。メタルバック膜１２２は加速電圧源４３に接続
する。
【００７１】
図１７は行電極駆動回路４１の出力電圧波形（Ｒ１，Ｒ２，．．．）および列電極駆動回路４２の出力電圧波形（Ｃ１，Ｃ２，．．．）を示す。図中点線は行電極駆動回路４１の出力が高インピーダンス状態であることを示す。本実施例では，高インピーダンス状態でのインピーダンスを５ＭΩに設定した。
【００７２】
時刻ｔ(1)において行電極３１０Ｒ１に正電圧の走査パルス７５０を印加する。本実施例では走査パルスの振幅Ｖscanを＋５Ｖにした。同時に列電極３１１Ｃ１，Ｃ２に負電圧のデータパルス７６０を印加する。ここではデータパルスの振幅Ｖdataを−３Ｖとした。すると，ドット（１，１）および（１，２）では走査パルスとデータパルスとが重畳されて印加されるため薄膜電子源に8Vの電圧が印加され，電子放出がおこる。放出した電子はメタルバック膜１１２により加速された後，蛍光体１１４に衝突し，蛍光体を励起・発光させる。
時刻ｔ（2）においては，行電極Ｒ２には走査パルス７５０を印加する。同時に列電極３１１Ｃ１にデータパルス７６０を印加する。すると，ドット（２，１）が発光する。また，時刻ｔ（2）においては，行電極Ｒ１を低インピーダンス状態の非選択電圧に設定する。ここでは０Ｖにした。
【００７３】
このように走査パルスとデータパルスとを組み合わせることで、任意のドットを発光させることが出来る。図１７の駆動波形では図１６の斜線部分のドットが発光する。これは標準的な線順次駆動方法である。
全ての行電極（すなわち走査線）を走査すると１枚の画像が表示される。これを１フィールド期間とよぶ。この動作を繰り返すことにより動画像を表示する。
【００７４】
１フィールド期間は，走査パルス７５０を走査線に順次印加する「走査期間」と，いずれの走査線にも走査パルスが印加されない「非走査期間」とに分けられる（図２５）。本明細書で定義される「走査期間」とは，図２５に示したように，いずれかの走査線に走査パルスが印加されている期間を指す。非走査期間は映像信号の帰線期間に対応させると映像信号との整合性がよい。本実施例では，非走査期間の間に反転パルス７５５を印加する。前述の通り，反転パルスは電子放出を起こすのと逆極性の電圧なので電子放出は起こさず発光には寄与しない。しかし，薄膜電子源の長寿命化に寄与する。
【００７５】
走査期間の中で走査パルス７５０が印加されない期間（図１７において，例えば行電極Ｒ１の場合は時刻ｔ（2）以降の期間）は、非選択期間である。走査パルス７５０を印加した後、いったん低インピーダンス状態の非選択状態７５１にした（時刻ｔ（2））後、高インピーダンス状態にする（図１７中の点線、時刻ｔ（3）からｔ（5）の期間）。その後、時刻ｔ（5）において低インピーダンス状態の非選択状態７５１にする。そして時刻ｔ（6）以降再び高インピーダンス状態にする。このように非選択期間においては、高インピーダンス状態の低インピーダンス状態の非選択状態とを適宜繰り返す。これにより、上述の通り、無効電力を低減すると共に、クロストークを無くすことが出来る。走査期間において任意の時刻において，低インピーダンス状態の走査線をｎ0本に設定する１つの方法を図１７を用いて以下に述べる。ここで，走査期間とは，１フィールド期間から帰線期間を除いた期間を指す。言い換えれば，走査期間は走査パルスを順次印加する期間に相当する。
【００７６】
以下の説明では，１行の選択期間の時間幅を１Ｈとし，１Ｈを単位として時間幅を表示する（図１７参照）。
行電極１行目Ｒ１に走査パルス７５０を印加した後，１Ｈの期間低インピーダンス状態の非選択状態７５１にする。その後，ｎp[H]毎に低インピーダンスの非選択状態７５１に設定する。２行目Ｒ２は，１行目Ｒ１の波形を１Ｈの時間分シフトした波形にする。３行目Ｒ３以降も同様に，前の行の波形を１Ｈの時間分シフトした形にする。このようにすると，走査期間の任意の時刻において，低インピーダンスの非選択状態７５１にある行電極の本数がＮ／ｎpになる。ここでＮは行電極の本数である。選択状態にある行電極の本数ｎ1と合わせると，低インピーダンス状態にある行電極の本数ｎ0は
（７）式
n0 = (N/np) + n1
になる。したがって，低インピーダンス状態にある行電極の割合（低インピーダンス比率）ｂ＝n0／Nとｎpとの間には条件は以下の関係式が成り立つ。
（８）式
【００７７】
【数３】
2010224543.tif 000005
【００７８】
図１７では低インピーダンス状態の非選択状態７５１の設定パターンを見やすくするためにｎp＝３[H]としているが，実際には例えばｎp＝20[H]，Ｎ＝480，n1=1とするとｂ＝5.2%となるので，図８に示した通り，無効電力の増加分はわずかに抑えられるため好ましい。
【００７９】
なお，輝度変調素子として電子放出素子と蛍光体との組合せを用いる表示装置においては，真空表面に接する電極をフローティング電位にしておくと，蛍光体に印加した高電圧によりアーク放電などの異常放電を誘発することがある，という問題があった。これは，真空中に放出された電荷によりフローティング状態の電極に帯電が起こるためである。本実施例では行電極３１０が真空表面に接している。本発明の駆動方式によれば，１フィールド中に適宜，行電極３１０が低インピーダンス状態に設定されるため，電荷の帯電を防ぎ，異常放電の発生を無くすことができる。例えば，図１７の例ではnp [H]毎に行電極３１０が低インピーダンス状態に設定される。このように，本発明は，輝度変調素子として電子放出素子と蛍光体との組合せを用いる表示装置に特に有効である。
【００８０】
本発明における高インピーダンス状態でのインピーダンス値の好ましい範囲は以下のように設定される。
図１８は，表示パネルにおいて輝度変調素子３０１と，行電極３１０，列電極３１１とを抜き出した模式図である。行電極３１０は表示パネルにおける走査線に相当する。抵抗Ｒは行電極駆動回路の出力インピーダンスを表す。本実施例においては，輝度変調素子３０１は薄膜電子源と蛍光体との組合せである。
【００８１】
列電極３１１に振幅ΔＶの電圧変化があった場合を考える。行電極駆動回路から供給される電流は抵抗Ｒで制限されるため，輝度変調素子の端子間電圧ＶELの変化量ΔＶELは次式（９）式に従って変化する。
（９）式
ΔＶEL＝ΔＶ（１−exp[−ｔ／τ]），
τ＝ＲＣL
ここでＣLは行電極の負荷容量である。すなわち，１本の行電極に接続された輝度変調素子のうちΔＶパルスを印加した全てのものの容量と配線間浮遊容量を足し合わせた値である。
【００８２】
１本の走査線の選択時間幅を１Ｈとする。τ＝５Ｈの場合，列電極にΔＶの電圧変化を与えても，１Ｈ後の素子間電圧の変化量ΔＶELは0.18×ΔＶにしかならない。本発明で問題にしている無効電力は（ΔＶEL）の２乗に比例するので，τ＝５Ｈの場合，十分な低電力効果が得られることがわかる。
【００８３】
すなわち，τ≧５ＨとなるようにインピーダンスＲの値を設定すれば，本発明の効果が得られる。これが本発明での高インピーダンス状態の定義である。
図１９は行電極駆動回路４１の構成の一例を示したものである。outputが各行電極３１０に接続される。ある行電極を選択する際には，スイッチ回路SW1を選択（SEL）側に接続するとスキャンパルス発生回路から出力された走査パルスがその行電極に印加され，選択状態になる。一方，その行電極を非選択状態にする場合は，スイッチ回路SW1を非選択（NS）側に接続する。スイッチ回路SW2を切り離した場合は，抵抗Rで出力インピーダンスが規定される高インピーダンス状態になる。逆にスイッチ回路SW2を接続した場合は，行電極は低インピーダンス状態の非選択状態になる。図１９において，V(NS,LZ)は低インピーダンス状態の非選択状態の電位を示し，V(NS,HZ)は高インピーダンス状態の非選択状態の電位を示す。
【００８４】
本実施例では，V（NS, LZ）, V（NS,HZ）ともアース電位に設定した。
図２０は行電極駆動回路４１の構成の別の例を示したものである。この例では，図１９の構成に加えて，電圧リミッタ回路を追加してある。すなわち，高インピーダンス状態時の行電極の電位変動を一定範囲に制限するために，ダイオードを介して高レベル・リミッタ電位VLHと低レベル・リミッタ電位VLLとに接続する。この回路構成では，高インピーダンス状態時の行電極の電位変動は，VLHとVLLの範囲に制限される。
【００８５】
本実施例では，VLH＝1V, VLL＝−5Vとした。VLHとVLLの設定値の絶対値が異なるのは，表示パネルを構成する輝度変調素子が単極性デバイスであるためである。すなわち，本実施例においては，行電極が正電位に変動するのは順方向の変動なので表示クロストークを引き起こす可能性があるので電位変動許容度が小さい。一方，行電極が負電位に変動するのは逆極性の変動なので表示クロストークは引き起こさない。したがって，負電圧側の電位変動許容度は大きい。
後述のように，電圧リミッタ回路が作動すると，その走査線は低インピーダンスになるため，低電力効果が一時的に低減する。したがって，低電力効果を最大限得るためには，電圧リミッタの許容電圧範囲を出来るだけ大きくし，リミッタを作動させないことが好ましい。本発明では，輝度変調素子の単極性特性を活用して逆極性方向の許容電圧を大きく設定し，これを実現している。
あるいは，輝度変調素子の順極性電圧側にのみ電圧リミッタを設定し，逆極性電圧側にはリミッタを設けなくてもよい。例えば，本実施例に即して言えば，図２０において，ＶLH側のリミッタ回路のみ設け，ＶLL側のリミッタ回路を設けなくてもよい。
【００８６】
このように電圧リミッタ回路を用いることで，より一層表示画像の安定化を図ることが出来る。
行電極の誘起電圧がリミッタ電圧を超えてリミッタ回路が作動すると，その行電極は低インピーダンスになる。一例として，図１７において，時刻ｔ（6）において行電極３１０Ｒ１の誘起電位がリミッタ電圧が超えた場合を考える。すると，時刻ｔ（6）において行電極３１０Ｒ１はリミッタ回路を介した低インピーダンスになるため，電力低減効果が一時的に低減する。しかし，時刻ｔ（8）において低インピーダンスの非選択状態７５１に設定されるため，リミッタ電圧範囲内に引き戻される。したがって，時刻ｔ（9）以降，再度高インピーダンス状態に復帰する。
【実施例３】
【００８７】
本発明の第３の実施例を図２１，図２２，図２３，図２４を用いて説明する。第３の実施例の画像表示装置は、電子放出電子源である薄膜電子源マトリクスと蛍光体との組み合わせによって、各ドットの輝度変調素子を形成した表示パネルを用い、当該表示パネルの行電極及び列電極に駆動回路を接続して構成される。
【００８８】
本実施例では行電極のうち何本かはスペーサ電極３１５の機能を兼ねている。スペーサ電極の機能を兼ねる行電極をスペーサ設置行電極３１６と呼ぶ。すなわち，図２１，図２２に示したように，スペーサ６０をスペーサ設置行電極３１６の上に設置する。スペーサ設置行電極３１６の形状，構成は他の行電極３１０と同じでよい。図２１において，点線部にスペーサ６０が設置される。
なお，第２の実施例と同様，スペーサ６０には適度な導電性を付与することで，スペーサ６０の帯電を防止する。
【００８９】
本実施例に記載の表示パネルは，第２の実施例と同様の方法で製作出来る。
図２３は本実施例の表示パネルと駆動回路との結線方法を示した図である。スペーサ設置行電極３１６は，他の行電極と同様に行電極駆動回路４１に結線する。
【００９０】
図２４は行電極駆動回路４１の出力電圧波形（Ｒ１，Ｒ２，．．．）および列電極駆動回路４２の出力電圧波形（Ｃ１，Ｃ２，．．．）を示す。図中点線は行電極駆動回路４１の出力が高インピーダンス状態であることを示す。本実施例では，高インピーダンス状態でのインピーダンスを５ＭΩに設定した。
【００９１】
本実施例においては，スペーサ設置行電極３１６（R3）は画像表示動作中，常時低インピーダンス状態の非選択状態７５１に設定する。メタルバック膜１２２には高電圧が印加されているので，適度な導電性を付与したスペーサ６０を介してスペーサ設置行電極３１６に微小なリーク電流が流れる。このようにすることで，スペーサの耐電を防ぎ，スペーサ周辺の電界を均一に保つ。
【００９２】
スペーサ６０の導電性はスペーサの耐電を防ぐ程度であれば十分であり，わずかな導電性で十分である。したがって，スペーサの抵抗値は，行電極駆動回路４１の出力インピーダンスよりも十分に高く設定される。したがって，スペーサ設置行電極３１６にも走査パルス７５０を印加することが出来る。
表示パネル中において，スペーサ設置行電極３１６の本数をｎs本とする。すると，走査期間中の任意の時刻における，低インピーダンス状態の走査線の本数は：
（１０）式
n0 ＝ (N/np) ＋ n1＋ns
になる。ここで，Ｎ，n0, n1の記号の定義は，前述のものと同じである。したがって，低インピーダンス状態にある行電極の割合（低インピーダンス比率）ｂ＝n0／Nとｎpとの間
には条件は以下の関係式が成り立つ。
（１１）式
【００９３】
【数４】
2010224543.tif 000006
【００９４】
図２４では低インピーダンス状態の非選択状態７５１の設定パターンを見やすくするためにｎp＝３[H]としているが，実際には例えばｎp＝20[H]にする。スペーサ設置行電極３１６の本数をｎS＝10本とし，Ｎ＝480，n1＝1とするとｂ＝7.3%となるので，図８に示した通り，無効電力の増加分はわずかに抑えられるため好ましい。
【００９５】
以上の説明では，輝度変調素子として薄膜電子源と蛍光体とを組み合わせた画像表示装置について述べた。他の単極性の輝度変調素子を用いた画像表示装置にも本発明が適用出来ることは自明である。
【符号の説明】
【００９６】
１０…真空、１１…上部電極、１２…トンネル絶縁層、１３…下部電極、１４、１１０…基板、１５…保護絶縁層、３２…上部電極バスライン、３５…電子放出部、４１…行電極駆動回路、４２…列電極駆動回路、４３…加速電圧源、６０…スペーサ、１１４Ａ…赤色蛍光体、１１４Ｂ…緑色蛍光体、１１４Ｃ…青色蛍光体、１２０…ブラックマトリクス、１２２…メタルバック膜、３０１…輝度変調素子、３１０…行電極、３１１…列電極，７５０・・・走査パルス，７５１・・・低インピーダンス状態の非選択状態，７５５・・・反転パルス，７６０・・・データパルス，
３１５・・・スペーサ電極，３１６・・・スペーサ設置行電極。
【図１】
2010224543.tif 000007
【図２】
2010224543.tif 000008
【図３】
2010224543.tif 000009
【図４】
2010224543.tif 000010
【図５】
2010224543.tif 000011
【図６】
2010224543.tif 000012
【図７】
2010224543.tif 000013
【図８】
2010224543.tif 000014
【図９】
2010224543.tif 000015
【図１０】
2010224543.tif 000016
【図１１】
2010224543.tif 000017
【図１２】
2010224543.tif 000018
【図１３】
2010224543.tif 000019
【図１４】
2010224543.tif 000020
【図１５】
2010224543.tif 000021
【図１６】
2010224543.tif 000022
【図１７】
2010224543.tif 000023
【図１８】
2010224543.tif 000024
【図１９】
2010224543.tif 000025
【図２０】
2010224543.tif 000026
【図２１】
2010224543.tif 000027
【図２２】
2010224543.tif 000028
【図２３】
2010224543.tif 000029
【図２４】
2010224543.tif 000030
【図２５】
2010224543.tif 000031